(57)【要約】【課題】受信状況が変化しやすい環境においても装置全体としての受信状況を良好に保つこと。【解決手段】アンテナにそれぞれ対応しており各アンテナのマッチングをマッチング定数の変更によって行うマッチング部を用い、受信状況算出部が、アンテナの受信状況をあらわす受信状況値をアンテナ系統ごとに算出し、選択部が、算出された受信状況値に基づいてマッチング定数の変更対象となるアンテナを選択し、変更指示部が、選択されたアンテナに対応するマッチング部に対してマッチング定数の変更を指示するように受信装置を構成する。【選択図】        図２
2009290610.tif 000002
【特許請求の範囲】
【請求項１】
複数のアンテナを有する受信装置であって、
前記アンテナにそれぞれ対応しており当該アンテナのマッチングをマッチング定数の変更によって行うマッチング手段と、
前記アンテナの受信状況をあらわす受信状況値をアンテナ系統ごとに算出する受信状況値算出手段と、
前記受信状況値算出手段によって算出された前記受信状況値に基づいて前記マッチング定数の変更対象となる前記アンテナを選択する選択手段と、
前記選択手段によって選択された前記アンテナに対応する前記マッチング手段に対して前記マッチング定数の変更を指示する変更指示手段と
を備えたことを特徴とする受信装置。
【請求項２】
前記選択手段は、
前記受信状況値を順位付けしたうえで受信状況が悪いほうから所定個の前記アンテナを選択することを特徴とする請求項１に記載の受信装置。
【請求項３】
前記選択手段は、
前記受信状況値が所定の閾値を下回った前記アンテナを選択することを特徴とする請求項１または２に記載の受信装置。
【請求項４】
前記アンテナ系統ごとの高速フーリエ変換出力値をすべての前記アンテナ系統について最大比合成する最大比合成手段
をさらに備えたことを特徴とする請求項１、２または３に記載の受信装置。
【請求項５】
前記選択手段が選択したアンテナをあらわす選択アンテナおよび前記選択アンテナに対応する前記マッチング定数を電源ＯＦＦ時に記憶し、記憶した前記選択アンテナおよび前記マッチング定数を電源ＯＮ時には前記選択手段および前記マッチング手段へ提供する記憶手段
をさらに備えたことを特徴とする請求項１〜４のいずれか一つに記載の受信装置。
【請求項６】
前記受信状況値算出手段は、
前記アンテナ系統におけるビット列の信号を同相成分軸および直交成分軸であらわしたコンスタレーションにおける基準点と受信点との距離に基づいて前記受信状況値を算出することを特徴とする請求項１〜５のいずれか一つに記載の受信装置。
【請求項７】
前記変更指示手段は、
前記マッチング定数を所定のステップ幅だけ増加させる増加指示または減少させる減少指示を行い、受信状況が改善した場合には、さらに増加指示または減少指示を行い、受信状況が悪化した場合には、増加指示の代わりに減少指示を減少指示の代わりに増加指示を行うことを特徴とする請求項１〜６のいずれか一つに記載の受信装置。
【請求項８】
前記変更指示手段は、
前記マッチング定数について所定の上限値および所定の下限値の範囲内で前記増加指示または前記減少指示を行うことを特徴とする請求項７に記載の受信装置。
【請求項９】
前記マッチング手段は、
容量を変更可能な可変ダイオードの前記容量を変更することで前記マッチング定数を変更することを特徴とする請求項１〜８のいずれか一つに記載の受信装置。
【請求項１０】
前記マッチング手段は、
前記アンテナの近傍にそれぞれ配置されることを特徴とする請求項１〜９のいずれか一つに記載の受信装置。
【発明の詳細な説明】
【技術分野】
【０００１】
この発明は、複数のアンテナを有する受信装置に関し、特に、受信状況が変化しやすい環境においても装置全体としての受信状況を良好に保つことができる受信装置に関するものである。
【背景技術】
【０００２】
近年、車載用ＤＴＶ（デジタルテレビジョン）受信機が普及してきているが、このような移動環境においても、放送波を安定して受信することが求められている。たとえば、複数のアンテナを用いた周波数分割合成ダイバーシティでは、２系統もしくは４系統のアンテナブランチの出力を合成することで、受信性能を向上させることとしている。
【０００３】
ところで、このような受信装置では、アンテナごとにインピーダンス整合（以下、「マッチング」と記載する）を行う必要がある。しかし、受信する放送波の周波数帯域が広い場合には、すべての周波数帯域で良好なマッチングを行うことは困難である。
【０００４】
このため、マッチングに用いるマッチング定数を、選局したチャンネルごとに変更する技術が提案されている。たとえば、特許文献１には、チャンネルごとに対応したマッチング定数をあらかじめ用意しておき、特定のチャンネルが選択された場合に、選択されたチャンネルに対応するマッチング定数を用いてマッチングを行う技術が開示されている。
【０００５】
【特許文献１】特開２００４−２２８７９６号公報
【発明の開示】
【発明が解決しようとする課題】
【０００６】
しかしながら、特許文献１の技術は、チャンネルを変更した場合にのみ、マッチング定数の変更が行われるので、時々刻々と変化する受信状況に追従することができないという問題がある。特に、車両に搭載された受信装置の場合、車両の走行速度や進行方向の変化、走行環境の変化に応じて受信状況は著しく変化する。
【０００７】
たとえば、特定のチャンネルを視聴し続けている場合であっても、特定のアンテナブランチの受信状況は良好であるが、他のアンテナブランチの受信状況は悪いという状況が発生する。したがって、各アンテナブランチの出力を合成した場合に、受信状況が悪いアンテナブランチの影響で、全体的な受信状況が悪化してしまう。
【０００８】
これらのことから、複数のアンテナを用いて受信を行う場合において、受信状況が変化しやすい環境においても装置全体としての受信状況を良好に保つことができる受信装置をいかにして実現するかが大きな課題となっている。
【０００９】
この発明は、上述した従来技術による問題点を解消するためになされたものであり、複数のアンテナを用いて受信を行う場合において、受信状況が変化しやすい環境においても装置全体としての受信状況を良好に保つことができる受信装置を提供することを目的とする。
【課題を解決するための手段】
【００１０】
上述した課題を解決し、目的を達成するため、本発明は、複数のアンテナを有する受信装置であって、前記アンテナにそれぞれ対応しており当該アンテナのマッチングをマッチング定数の変更によって行うマッチング手段と、前記アンテナの受信状況をあらわす受信状況値をアンテナ系統ごとに算出する受信状況値算出手段と、前記受信状況値算出手段によって算出された前記受信状況値に基づいて前記マッチング定数の変更対象となる前記アンテナを選択する選択手段と、前記選択手段によって選択された前記アンテナに対応する前記マッチング手段に対して前記マッチング定数の変更を指示する変更指示手段とを備えたことを特徴とする。
【発明の効果】
【００１１】
本発明によれば、アンテナにそれぞれ対応しており各アンテナのマッチングをマッチング定数の変更によって行うマッチング部を用い、アンテナの受信状況をあらわす受信状況値をアンテナ系統ごとに算出し、算出された受信状況値に基づいてマッチング定数の変更対象となるアンテナを選択し、選択されたアンテナに対応するマッチング部に対してマッチング定数の変更を指示することとしたので、受信状況が悪いアンテナの受信状況を改善して装置全体としての受信状況を向上させることで、受信状況が変化しやすい環境においても装置全体としての受信状況を良好に保つことができるという効果を奏する。
【発明を実施するための最良の形態】
【００１２】
以下に添付図面を参照して、この発明に係る受信装置の好適な実施例を詳細に説明する。なお、以下では、本発明に係る受信手法の概要について図１を用いて説明した後に、本発明に係る受信手法を適用した受信装置についての実施例を図２〜図９を用いて説明することとする。
【００１３】
まず、本発明に係る受信手法の概要について図１を用いて説明する。図１は、本発明に係る受信手法の概要を示す図である。なお、同図では、アンテナＡ、アンテナＢ、アンテナＣおよびアンテナＤの４つのアンテナを用い、これらの４つのアンテナが受信した信号を合成する場合について示している。また、各アンテナに対応するアンテナブランチ（アンテナブランチＡ〜アンテナブランチＤ）は、アンテナ系統ごとに設けられた回路群を指す。
【００１４】
同図に示すように、本発明に係る受信手法では、アンテナブランチごとの受信状況値を算出する（同図の（１）参照）。ここで、受信状況値とは、受信ＣＮＲ（Carrier  to  Noise  Ratio）、受信ＭＥＲ（Modulation  Error  Ratio）、受信レベルといった受信状況の良否をあらわす数値を指す。
【００１５】
このように、アンテナブランチごとの受信状況値をモニターすることで、各アンテナブランチの受信状況を常時把握することが可能となる。そして、本発明に係る受信手法では、算出した各受信状況値（各アンテナブランチごとの受信状況値）を対比することで、マッチング定数の変更対象となるアンテナを選択する（同図の（２）参照）。
【００１６】
たとえば、アンテナブランチＡ〜アンテナブランチＤの中で、最も受信状況が悪いアンテナブランチがアンテナブランチＤである場合には、アンテナＤをマッチング定数の変更対象として選択する。なお、選択するアンテナを１つとする必要はなく受信状況が悪いほうから複数のアンテナを選択することとしてもよい。また、受信状況値が所定の閾値を下回ったアンテナを選択することとしてもよい。
【００１７】
そして、マッチング定数の変更対象となるアンテナを選択したならば、選択したアンテナのマッチング定数を変更する（同図の（３）参照）。なお、選択されていないアンテナに係るマッチング定数は変更しない。
【００１８】
このように、本発明に係る受信手法では、受信状況が悪いアンテナブランチをリアルタイムで把握しつつ、マッチング定数の変更を行うこととしたので、受信状況が悪いアンテナブランチの受信状況を改善することができる。したがって、すべてのアンテナからの信号値を合成した場合、総合的な受信状況を向上させることができる。
【００１９】
なお、上記した各処理（同図の（１）〜（３））は、常時行われるので、受信環境等の変化によって、受信状況が悪いアンテナブランチが刻々と変化する場合であっても総合的な受信状況を良好に保つことが可能となる。
【００２０】
以下では、上述した本発明に係る受信手法を適用した受信装置についての実施例を説明する。なお、以下に示す実施例では、自動車などの車両に搭載され、デジタルテレビジョン放送波などの放送波を受信する受信装置について示すこととする。
【実施例】
【００２１】
図２は、本実施例に係る受信装置１０の構成を示すブロック図である。なお、同図では、アンテナＡ、アンテナＢ、アンテナＣおよびアンテナＤの４つのアンテナを有する受信装置１０を示しているが、アンテナの個数は２以上の任意の個数とすることができる。また、たとえば、アンテナＡに対応するアンテナブランチを構成する要素には、マッチング部１１Ａ、ＲＦ／ＩＦ１２Ａのように、符号の末尾に「Ａ」を付加し、アンテナＢ〜アンテナＤに対応する各要素には、符号の末尾にそれぞれ「Ｂ」〜「Ｄ」を付加している。
【００２２】
同図に示すように、受信装置１０は、アンテナ（アンテナＡ〜アンテナＤ）と、マッチング部１１と、ＲＦ／ＩＦ（Radio  Frequency）／ＩＦ（Intermediate  Frequency）１２と、ＡＤＣ（Analog  Digital  Converter）１３と、ＦＦＴ（Fast  Fourier  Transform）１４と、受信状態監視部１６と、最大比合成部１７と、誤り訂正部１８と、記憶部１９とを備えている。
【００２３】
また、受信状態監視部１６は、受信状況算出部１６ａと、選択部１６ｂと、変更指示部１６ｃとをさらに備えており、記憶部１９は、保存情報１９ａを記憶する。なお、受信状態監視部１６は、ＦＦＴ１４／最大比合成部１７間のデータ分岐部１５を介して各ＦＦＴ１４（ＦＦＴ１４Ａ〜ＦＦＴ１４Ｄ）の出力を入力値として受け取る。また、各マッチング部１１（マッチング部１１Ａ〜マッチング部１１Ｄ）は、対応する各アンテナ（アンテナＡ〜アンテナＤ）の近傍にそれぞれ設けられる。
【００２４】
マッチング部１１（マッチング部１１Ａ〜マッチング部１１Ｄ）は、対応するアンテナのインピーダンス整合（マッチング）を行う。また、このマッチング部１１は、受信状態監視部１６からの指示に基づき、可変容量ダイオードの容量を変更させるなどして、マッチング定数を変更させることでマッチングを行う。
【００２５】
ここで、マッチング部１１の回路例について図３を用いて説明する。図３は、マッチング部１１を構成する回路の一例を示す図である。同図に示すように、マッチング部１１は、コイルと、可変容量ダイオードとから構成されており、受信状態監視部１６からの指示（たとえば、電圧変化）によって可変容量ダイオードの容量を増減させる。
【００２６】
なお、本実施例では、可変容量ダイオードを用いたマッチング部１１について説明するが、可動棒をコイルに挿抜するメカニカルな機構によってマッチング定数を変更するように構成することとしてもよい。
【００２７】
ＲＦ／ＩＦ１２（ＲＦ／ＩＦ１２Ａ〜ＲＦ／ＩＦ１２Ｄ）は、放送波の検波・増幅を行うデバイスであり、増幅したＩＦ（Intermediate  Frequency）信号をＡＤＣ１３へ出力する処理を行う。また、ＡＤＣ１３（ＡＤＣ１３Ａ〜ＡＤＣ１３Ｄ）は、ＲＦ／ＩＦ１２から受け取ったアナログ信号をデジタル信号へ変換してＦＦＴ１４へ出力する処理を行う。
【００２８】
ＦＦＴ１４（ＦＦＴ１４Ａ〜ＦＦＴ１４Ｄ）は、直交周波数分割多重方式のデジタル復調を行って最大比合成部１７へ出力する処理を行う。なお、ＦＦＴ１４の出力結果は、データ分岐部１５を介して受信状態監視部１６にも出力される。
【００２９】
受信状態監視部１６は、各ＦＦＴ１４（ＦＦＴ１４Ａ〜ＦＦＴ１４Ｄ）からの出力値に基づいて各アンテナブランチについての受信状況値を算出するとともに、マッチング定数の変更対象となるアンテナを選択し、選択したアンテナに対応するマッチング部１１に対してマッチング定数の変更指示を行う処理部である。
【００３０】
受信状況値算出部１６ａは、各ＦＦＴ１４（ＦＦＴ１４Ａ〜ＦＦＴ１４Ｄ）からの出力値に基づいて各アンテナブランチについての受信状況値を算出するとともに、算出した各受信状況値を選択部１６ｂへ渡す処理を行う処理部である。ここで、この受信状況値算出部１６ａが行う受信状況値算出処理の概要について図４および図５を用いて説明する。
【００３１】
図４は、コンスタレーションにおける基準点および受信点の一例を示す図である。ここで、コンスタレーションとは、各アンテナブランチにおけるビット列の信号を同相成分軸（In-Phase）および直交成分軸（Quadrature）であらわしたものである。なお、図４の（１）には、コンスタレーションにおける基準点を、図４の（２）には、コンスタレーションにおける受信点が基準点からずれる様子を、それぞれ示している。
【００３２】
図４の（１）に示すように、デジタル放送波が送信される際には、送信データは、格子状の基準点に合致するように配列されている。しかし、デジタル放送波が受信される際には、受信環境の影響等で図４の（２）に示したように、各受信点は各基準点からずれた状態となる。ここで、受信点が基準点に近いほど受信状況は良好であるといえる。
【００３３】
図５は、受信状況値算出の一例を示す図である。なお、同図では、受信ＣＮＲ（Carrier  to  Noise  Ratio）を用いて各アンテナブランチの受信状況値算出を行う場合について示しており、同図の黒丸が基準点を、白丸が受信点を、それぞれあらわしている。また、同図の（Ａ）〜（Ｄ）は、図２に示したアンテナＡ〜アンテナＤにそれぞれ対応するものとする。
【００３４】
同図に示すように、アンテナＡに対応する所定の基準点と受信点との距離をａ、同じくアンテナＢに対応する距離をｂ、アンテナＣに対応する距離をｃ、アンテナＤに対応する距離をｄとし、ａ〜ｄの中でｄが最も大きい場合、アンテナＤの受信状況が最も悪いといえる。
【００３５】
ここで、同図に示した距離ａ〜ｄは、受信ＣＮＲに相当する。受信状況値算出部１６は、図５に示した各距離（ａ〜ｄ）を、選択部１６ｂへ通知する。各距離を通知された選択部１６ｂは、所定の選択条件に従ってマッチング定数を変更すべきアンテナを選択することになる。
【００３６】
なお、図５では、受信点と基準点との距離（受信ＣＮＲに相当）を、各アンテナブランチの受信状況値としてそれぞれ算出する場合について示したが、受信ＭＥＲ（Modulation  Error  Ratio）や受信レベルを各受信状況値として算出することとしてもよい。
【００３７】
選択部１６ｂは、受信状況が良好ではないアンテナ、すなわち、マッチング定数を変更すべきアンテナを選択する処理を行う処理部である。この選択部１６ｂは、受信状況値算出部１６ａから受け取った各アンテナブランチの受信状況値をそれぞれ対比することで、マッチング定数を変更すべきアンテナを選択する。
【００３８】
ここで、選択部１６ｂが行うアンテナ選択のバリエーションについて図６を用いて説明する。図６は、アンテナ選択のバリエーションを示す図である。なお、同図の（１）には、各受信状況の順位に基づいてアンテナ選択を行う場合について、同図の（２）には、所定の閾値を用いてアンテナ選択を行う場合について、それぞれ示している。また、同図に示すＡ〜Ｄは、アンテナＡ（アンテナブランチＡ）〜アンテナＤ（アンテナブランチＤ）にそれぞれ対応している。
【００３９】
図６の（１）に示すように、受信状況の順位に基づいてアンテナ選択を行う場合には、受信状況が良い方から各アンテナブランチを順位付けする。そして、最も受信状況が悪いアンテナ、すなわち、順位が「４」であるアンテナを選択する。たとえば、時間Ｔ１１ではアンテナＤが、時間Ｔ１２ではアンテナＡが、それぞれ選択される。
【００４０】
なお、順位が最も悪いアンテナのみを選択するのではなく、順位が悪い順に複数個のアンテナを選択することとしてもよい。たとえば、順位が「３」および「４」であるアンテナを選択することとした場合には、時間Ｔ１１ではアンテナＡおよびアンテナＤが、時間Ｔ１２ではアンテナＡおよびアンテナＤが、それぞれ選択される。
【００４１】
また、同図の（２）に示すように、所定の閾値を用いてアンテナ選択を行うこともできる。ここで、同図に示す「α」は、予め定められた閾値であり、受信状況値は、受信状況が良いほど大きい値となるように調整されているものとする。たとえば、時間Ｔ２１では、閾値αを下回ったアンテナＡおよびアンテナＤが選択され、時間Ｔ２２では、アンテナＤが選択される。なお、時間Ｔ２３では、閾値αを下回ったアンテナがないので選択対象はない。
【００４２】
なお、図６では、受信状況の順位に基づくアンテナ選択および閾値を用いたアンテナ選択を示したが、両者を組み合わせたアンテナ選択を行うこととしてもよい。たとえば、所定の閾値を下回り、かつ、順位が最も悪いアンテナのみを選択することができる。この場合、図６の（２）における時間Ｔ２１では、アンテナＤのみが選択されることになる。
【００４３】
また、図６の（２）では、静的な閾値を用いる場合について示したが、受信装置１０が搭載された車両の走行状態や、周囲の地形や建造物の状況、あるいは、受信状況に応じて閾値を動的に変更することとしてもよい。
【００４４】
次に、変更指示部１６ｃについて説明する。変更指示部１６ｃは、選択部１６ｂによって選択されたアンテナに対応するマッチング部１１に対してマッチング定数の変更指示を行う処理部である。たとえば、選択部１６ｂによってアンテナＤが選択された場合には、変更指示部１６ｃは、アンテナＤに対応するマッチング部１１Ｄに対してマッチング定数の変更指示を行う。
【００４５】
また、変更指示部１６ｃは、マッチング定数の変更指示を行う際に、たとえば、可変容量ダイオードの容量を所定の変更幅（ステップ）で減らす方向に設定し、受信状態が改善されたならば、さらに減らす方向へ、逆に改善されなければ、反対方向（増やす方向）へ設定する。このようにすることで、変更指示対象となるアンテナの受信状況を常に最適な状態に維持することができる。
【００４６】
また、マッチング定数の変更範囲の上限および下限を設けることとしてもよい。上限および下限を設けることで、可変容量ダイオードが正常に動作する範囲でマッチング定数の変更を行うことができ、また、可変容量ダイオードの容量が最大値または最小値に達しているのに、過剰な容量変更指示を行うことを防止することができる。
【００４７】
最大比合成部１７は、各ＦＦＴ１４（ＦＦＴ１４Ａ〜ＦＦＴ１４Ｄ）の出力を最大比合成する処理を行う処理部である。また、誤り訂正部１８は、最大比合成部１７によって最大比合成された受信データにおけるビットエラー等の誤りを訂正する処理を行う処理部である。なお、誤り訂正部１８によって訂正された受信データは、外部装置に対して出力される。
【００４８】
記憶部１９は、ＥＥＰＲＯＭ（Electrically  Erasable  and  Programmable  Read  Only  Memory）等の記憶デバイスで構成される記憶部であり、保存情報１９ａを記憶する。保存情報１９ａは、受信装置１０が搭載された車両のイグニッションキーがＯＦＦにされるなどして受信装置に対するＡＣＣ電源の給電が停止された際の、マッチング定数に係る情報である。
【００４９】
たとえば、この保存情報１９ａには、各マッチング部１１における各マッチング定数、受信状態監視部１６の選択部１６ｂによって選択された選択アンテナ、ＲＦ／ＩＦ１２における選局チャンネル等が含まれる。そして、車両のイグニッションキーがＯＮにされるなどして受信装置１０に対するＡＣＣ電源の給電が開始された場合には、各マッチング定数は各マッチング部１１によって、選択アンテナは選択部１６ｂによって、それぞれ読み出される。
【００５０】
このようにすることで、車両の停車時における受信状況を再現することができる。すなわち、車両のイグニッションキーがＯＦＦにされ、その後ＯＮにされる場合、車両は同一場所に停車していることになるので、車両の向きや周辺の地形などの受信環境はそのままの状態である。したがって、電源ＯＦＦ時の制御状態を記憶しておくことで電源ＯＮ時の受信状況制御を良好な状態から開始することができる。
【００５１】
次に、受信装置１０が実行する処理手順について図７を用いて説明する。図７は、受信装置１０が実行する処理手順を示すフローチャートである。なお、同図に示すフローチャートは、選択部１６ｂが、受信状況の順位に基づくアンテナ選択（図６の（１）参照）を行う場合の処理手順である。
【００５２】
同図に示すように、受信状況値算出部１６ａは、各アンテナブランチの受信状況値を算出する（ステップＳ１０１）。そして、選択部１６ｂは、受信状況値の順位付けを行い（ステップＳ１０２）、受信状況が最下位のアンテナブランチを選択する（ステップＳ１０３）。なお、ステップＳ１０３において、受信状況が悪いほうから複数個のアンテナブランチを選択することとしてもよい。
【００５３】
つづいて、変更指示部１６ｃは、ステップＳ１０３において選択されたアンテナに対応するマッチング部１１に対し、マッチング定数変更処理を実行し（ステップＳ１０４）、ステップＳ１０１以降の処理を繰り返す。なお、マッチング定数変更処理の詳細な処理手順については図８に示す。
【００５４】
図８は、マッチング定数変更処理の詳細手順を示すフローチャートである。なお、同図に示す処理手順は、選択部１６ｂによって同一のアンテナが選択されつづけた場合に実行される。同図に示すように、前回の受信状況と今回の受信状況とを対比し（ステップＳ２０１）、前回よりも受信状況がよい場合には（ステップＳ２０１，Ｙｅｓ）、前回と同方向にステップする（ステップＳ２０２）。
【００５５】
ここで、前回と同方向とは、前回にマッチング定数を増加方向に変更した場合には同じく増加方向とし、前回に減少方向に変更した場合には同じく減少方向とすることを指す。また、ステップとは、所定のステップ幅でマッチング定数を増減することを指す。
【００５６】
一方、前回よりも受信状況がよくない場合には（ステップＳ２０１，Ｎｏ）、前回と逆方向にステップする（ステップＳ２０３）。ここで、前回と逆方向とは、前回にマッチング定数を増加方向に変更した場合には逆に減少方向とし、前回に減少方向に変更した場合には逆に増加方向とすることを指す。
【００５７】
つづいて、ステップ後のマッチング定数がマッチング定数の変更範囲内であるか否かを判定し（ステップＳ２０４）、マッチング定数の変更範囲内である場合には（ステップＳ２０４，Ｙｅｓ）、ステップ後のマッチング定数となるようにマッチング部１１へ変更指示を行い（ステップＳ２０５）、処理を終了する。
【００５８】
一方、マッチング定数の変更範囲内ではない場合には（ステップＳ２０４，Ｎｏ）、ステップ前のマッチング定数となるようにマッチング部１１へ変更指示を行い（ステップＳ２０６）、処理を終了する。
【００５９】
次に、受信装置１０が実行する処理手順の変形例について図９を用いて説明する。図９は、受信装置１０が実行する処理手順の変形例を示すフローチャートである。なお、同図に示すフローチャートは、選択部１６ｂが、所定の閾値に基づいたアンテナ選択（図６の（２）参照）を行う場合の処理手順である。
【００６０】
同図に示すように、受信状況値算出部１６ａは、各アンテナブランチの受信状況値を算出する（ステップＳ３０１）。そして、選択部１６ｂは、各受信状況値と所定の閾値とを対比し（ステップＳ３０２）、所定の閾値未満のアンテナブランチを選択する（ステップＳ３０３）。なお、各受信状況値は、受信状況が良いほど大きい値となるように調整されているものとする。
【００６１】
つづいて、変更指示部１６ｃは、ステップＳ３０３において選択されたアンテナに対応するマッチング部１１に対し、マッチング定数変更処理を実行し（ステップＳ３０４）、ステップＳ３０１以降の処理を繰り返す。なお、マッチング定数変更処理の詳細手順については図８を用いて既に説明したので説明を省略する。
【００６２】
上述してきたように、本実施例では、アンテナにそれぞれ対応しており各アンテナのマッチングをマッチング定数の変更によって行うマッチング部を用い、受信状況算出部が、アンテナの受信状況をあらわす受信状況値をアンテナ系統ごとに算出し、選択部が、算出された受信状況値に基づいてマッチング定数の変更対象となるアンテナを選択し、変更指示部が、選択されたアンテナに対応するマッチング部に対してマッチング定数の変更を指示するように受信装置を構成した。
【００６３】
したがって、受信状況が悪いアンテナの受信状況を改善して装置全体としての受信状況を向上させることで、受信状況が変化しやすい環境においても装置全体としての受信状況を良好に保つことができる。
【産業上の利用可能性】
【００６４】
以上のように、本発明に係るアンテナ制御装置は、複数のアンテナを用いた周波数分割合成ダイバーシティにおける受信状況を良好に保ちたい場合に有用であり、特に、自動車などのように受信状況が変化しやすい環境に適している。
【図面の簡単な説明】
【００６５】
【図１】本発明に係る受信手法の概要を示す図である。
【図２】本実施例に係る受信装置の構成を示すブロック図である。
【図３】マッチング部を構成する回路の一例を示す図である。
【図４】コンスタレーションにおける基準点および受信点の一例を示す図である。
【図５】受信状況値算出の一例を示す図である。
【図６】アンテナ選択のバリエーションを示す図である。
【図７】受信装置が実行する処理手順を示すフローチャートである。
【図８】マッチング定数変更処理の詳細手順を示すフローチャートである。
【図９】受信装置が実行する処理手順の変形例を示すフローチャートである。
【符号の説明】
【００６６】
１０  受信装置
１１  マッチング部
１２  ＲＦ／ＩＦ
１３  ＡＤＣ
１４  ＦＦＴ
１５  データ分岐部
１６  受信状態監視部
１６ａ  受信状況算出部
１６ｂ  選択部
１６ｃ  変更指示部
１７    最大比合成部
１８    誤り訂正部
１９    記憶部
１９ａ  保存情報
【図１】
2009290610.tif 000003
【図２】
2009290610.tif 000004
【図３】
2009290610.tif 000005
【図４】
2009290610.tif 000006
【図５】
2009290610.tif 000007
【図６】
2009290610.tif 000008
【図７】
2009290610.tif 000009
【図８】
2009290610.tif 000010
【図９】
2009290610.tif 000011